(57)【要約】【課題】従来は警備装置に予め固定的に設定されていた外出警戒モードを設定するための手段、及び解除モードを設定するための手段に対しても在宅警戒モードを設定できるようにすることによって、警備物件の状況に応じて在宅警戒モードを設定できるようにする。【解決手段】警備モード選択部４には３つの選択手段４Ａ、４Ｂ、４Ｃが設けられている。操作部５により設定モードに入ることにより、３つの選択手段４Ａ、４Ｂ、４Ｃの所望の選択手段に対して、所望の在宅警戒モードを定義することができる。【選択図】  図１
2005004311.tif 000002
【特許請求の範囲】
【請求項１】
外出警戒モード、在宅警戒モード、解除モードの３種類の警備モードを有する警備装置において、
警備モードの何れかを選択するための選択手段を少なくとも３つ備え、それら全ての選択手段に対して所望の在宅警戒モードが設定可能となされていることを特徴とする警備装置。
【発明の詳細な説明】
【０００１】
【発明の属する技術分野】
本発明は、ホームセキュリティシステムに好適に用いることができる警備装置に関する。
【０００２】
【従来の技術】
ホームセキュリティシステムに用いられる警備装置には、警備モードとして、外出警戒モード、在宅警戒モード、解除モードの３つの警備モードが備えられているのが通常である。
【０００３】
例えば、特開２００１−２３０６２号公報の図２には操作部３２には３つの押ボタン３２Ａ、３２Ｂ、３２Ｃが図示されており、段落番号［００１８］には、操作部３２には、「警戒装置本体２０の警備モードを在宅警戒状態又は非警戒状態に設定するのに使用される押ボタン３２Ａ、３２Ｂ、３２Ｃを」備えると記載されている。
【０００４】
また、特開２００２−２７９５６４号公報には、在宅警戒モードを設定するための在宅警戒設定手段６、解除モードを設定するための解除手段７、及び、外出警戒モードを設定するための外出警戒設定手段８を備える警備装置が開示されている。
【０００５】
これらの警備モードについては周知であるが、簡単に説明すると次のようである。
外出警戒モードは、家人が全員外出して、警備の対象である警備物件内が無人となる場合に設定される警備モードであり、警備物件の全ての警戒エリアが警備される。より具体的には、全ての防犯センサが警備状態となされる。
【０００６】
在宅警戒モードは、就寝中等に設定される警備モードであり、警備物件内の人がいる警戒エリアに対しては警備を行わず、それ以外の警戒エリアに対しては警備を行う警備モードである。従って、警備が行われない警戒エリアの防犯センサは解除状態となされ、それ以外の警戒エリアの防犯センサは警戒状態となされる。
【０００７】
解除モードは、在宅警戒モード及び外出警戒モードを解除する場合に設定される警備モードである。即ち、解除モードは警備物件の全ての警戒エリアの警備を行わない警備モードであり、全ての防犯センサは解除状態となされる。
【０００８】
なお、これらの警備モードの名称としては、上記の名称の他にも種々の名称が用いられているが、本明細書では、外出警戒モード、在宅警戒モード、解除モードと称するものとする。
【０００９】
【特許文献１】特開２００１−２３０６２号公報
【特許文献２】特開２００２−２７９５６４号公報
【００１０】
【発明が解決しようとする課題】
ところで、在宅警戒モードにおいて、どの警戒エリアを警備するか、より具体的には、警備装置に接続されている防犯センサの中のどの防犯センサを警備状態とするかは警備物件によって様々であり、そのために、ホームセキュリティシステムに用いる警備装置においては、従来においても、在宅警戒モード時にどの防犯センサを警備状態にするかを任意に設定できるようになされている。
【００１１】
これに対して、外出警戒モード、及び解除モードについては、予め警備装置に固定的に設定されている。即ち、外出警戒モードが選択された場合には全ての防犯センサを警戒状態とし、解除モードが選択された場合には全ての防犯センサを解除状態とすることが警備装置に予め固定的に設定されており、ユーザが所望のように設定できるようにはなされていないのである。
【００１２】
以上のように、上述したように警備モードとして、外出警戒モード、在宅警戒モード及び解除モードの３つの警備モードを備える警備装置では、従来においては、在宅警戒モードは一つしか設定できないのである。
【００１３】
しかしながら、警備物件によっては在宅警戒モードを２種類設定したいという場合もある。例えば、母屋と店舗からなる店舗付き住宅にホームセキュリティシステムを構築する場合を考えると、日中は店舗を開店していて母屋が無人になり、夜間は店舗が無人になるので、母屋のみを警備する第１の在宅警戒モードと、店舗のみを警備する第２の在宅警戒モードの２種類の在宅警戒モードを設定して、日中は第１の在宅警戒モードを設定し、夜間は第２の在宅警戒モードを設定できるようにしたいという要望がある場合があるが、上述した従来の警備装置では、このような要望に応えることはできないものであった。
【００１４】
そこで、本発明は、従来は警備装置に予め固定的に設定されていた外出警戒モードを設定するための手段、及び解除モードを設定するための手段に対しても在宅警戒モードを設定できるようにすることによって、警備物件の状況に応じて在宅警戒モードを設定できるようになされた警備装置を提供することを目的とするものである。
【００１５】
【課題を解決するための手段】
上記の目的を達成するために、本発明に係る警備装置は、外出警戒モード、在宅警戒モード、解除モードの３種類の警備モードを有する警備装置において、警備モードの何れかを選択するための選択手段を少なくとも３つ備え、それら全ての選択手段に対して所望の在宅警戒モードが設定可能となされていることを特徴とする。
【００１６】
【発明の実施の形態】
以下、図面を参照しつつ発明の実施の形態について説明する。
図１は本発明に係る警備装置を示すと共に、当該警備装置を用いたホームセキュリティシステムの構成例を示す図であり、図中、１は警備装置、２はセンサ入力部、３は制御部、４は警備モード選択部、５は操作部、６は表示部、７は回線制御部、８は威嚇装置、９は警備状態設定装置を示す。
【００１７】
まず、図１に示す各部について概略説明する。
センサ入力部２は、図示しない防犯センサが所定個数接続可能となされており、防犯センサが接続される入力端子にはチャネル番号が付されている。そして、ある防犯センサから検知信号を受けると、検知信号を受けたチャネル番号を制御部３に通知する。これにより制御部３は、どのチャネル番号の防犯センサが検知信号を出力したかを認識することができる。なお、防犯センサとしては、人の移動を検知する熱線センサや、窓が開かれたことを検知するセンサ等、種々のセンサを用いることができることは明らかである。
【００１８】
制御部３は、ＣＰＵ及びその周辺回路で構成され、動作モードとして、所定の警備の処理を実行する警備モードと、設定モードの２つのモードを備えている。設定モードについては後述する。また、警備モードには、外出警戒モード、在宅警戒モード、及び解除モードの３種類がある。なお、制御部３の動作の詳細について後述する。
【００１９】
警備モード選択部４は、制御部３の警備モードを選択するためのものである。即ち、制御部３を外出警戒モードで動作させるか、在宅警戒モードで動作させるか、または解除モードで動作させるかを選択するものであり、そのために４Ａ、４Ｂ、４Ｃの３つの選択手段を備えている。
【００２０】
なお、ここでは、当該警備装置１の出荷時には、選択手段４Ａ、４Ｂ、４Ｃは、それぞれ、外出警戒モード、在宅警戒モード、解除モードを選択するものとなされており、選択手段４Ａ、４Ｂ、４Ｃの箇所には、それぞれ、外出警戒モードを選択するためのものであること、在宅警戒モードを選択するためのものであること、解除モードを選択するためのものであることが記されたシールが貼付されているものとする。
【００２１】
また、選択手段４Ａ、４Ｂ、４Ｃにより外出警戒モード、在宅警戒モード、あるいは解除モードを選択するための方式はどのような方式であってもよい。例えば、選択手段４Ａ、４Ｂ、４Ｃは、例えば、押しボタンでもよく、磁気カードやＩＣカードを用いる方式であってもよく、テンキーで暗証コードを入力する方式でもよく、更には、質問電波を送信する非接触式自動識別コード読み取り装置（ＲＦＩＤ（Ｒｓｄｉｏ  Ｆｒｅｑｕｅｎｃｙ  Ｉｄｅｎｔｉｆｉｃａｔｉｏｎ）リーダ）を用い、予め登録されている暗証番号が記憶されたＲＯＭをアンテナコイルの一端に接続した、いわゆるオンチップコイル方式の非接触情報記憶媒体を、ＲＦＩＤリーダに近づける方式であってもよい。
【００２２】
操作部５は、動作モードの切り換え操作、即ち警備モードから設定モードへの切り換え操作、その逆の切り換え操作、及び、警備モード選択部４のある選択手段に在宅警戒モードを設定する際の操作を行うためのものであり、テンキー、決定キー、アスタリスクキー、シャープキー等を備えている。
【００２３】
表示部６は、液晶表示装置等の文字表示が可能な表示装置で構成される。
回線制御部７は、公衆電話回線等の通信回線によって、警備会社の警備センタ装置等の所定の装置に通報を行うためのものである。
【００２４】
この警備装置１には、威嚇装置８が接続可能となされている。威嚇装置８は侵入者を威嚇するためのものであり、サイレンやブザー等の音による威嚇を行うものだけでもよく、また、投光器等の光による威嚇を行うものだけでもよく、あるいは、音による威嚇を行うものと、光による威嚇を行うものの両方を備えていてもよい。なお、図１では威嚇装置８は一つしか示していないが、これは図が煩雑になるのを避けるためだけの便宜的な措置であり、実際には警備物件の複数箇所に設置される場合が多い。要するに、威嚇装置８は少なくとも一つ設置されているのである。
【００２５】
また、この警備装置１には、警備状態設定装置９が接続可能となっている。警備状態設定装置９は、警備モードを設定するためのものであるが、ここでは、少なくとも、外出警戒モードと解除モードの切り換えが可能となされているものであればよい。
【００２６】
警備装置１は警備物件の屋内に設置されるが、警備状態設定装置９が接続される場合は、警備状態設定装置９は屋外の玄関近傍に設置される。これにより、全員が外出する場合には、全員が屋外に出てから警備状態設定装置９により外出警戒モードを設定すればよく、その後帰宅した場合には、警備状態設定装置９により解除モードを設定してから屋内に入ればよい。なお、警備状態設定装置９において、外出警戒モードあるいは解除モードの設定を行うための方式はどのような方式であってもよい。
【００２７】
次に、動作について説明する。なお、ここでは図１に示すように警備装置１には威嚇装置８と警備状態設定装置９が接続されているものとする。
【００２８】
［設定モード時の動作］
まず、設定モード時の動作について説明する。この設定モードは、警備モード時に選択手段４Ａ、４Ｂ、４Ｃのそれぞれが選択された場合に、警戒状態とする防犯センサと、解除状態とする防犯センサを設定するためのモードである。従って、設定モードにすることによって、出荷時に在宅警戒モードで動作するように設定されている選択手段４Ｂを選択した場合に、どの防犯センサを警戒状態とし、どの防犯センサを解除状態とするかを任意に設定することができる。また、この設定モードにすることによって、出荷時に外出警戒モードで動作するように設定されている選択手段４Ａ、及び／または出荷時に解除モードで動作するように設定されている選択手段４Ｃに対して、選択手段４Ｂとは異なる在宅警戒モードを設定することができる。
【００２９】
さて、操作部５において所定の操作が行われると、制御部３は設定モードに入る。このときの操作としては、例えば、設定モードに入るＩＤコードとして予め定められたＩＤコードを入力して決定キーを押すという操作とすることができる。
【００３０】
制御部３は、設定モードに入ると、次に、選択手段の何れかが選択されるのを待機する。そして、何れかの選択手段が選択されると、制御部３は、当該選択された選択手段に現在設定されている防犯センサの状態、即ち警備モード時に当該選択手段が選択された場合に、どの防犯センサを警戒状態とし、どの防犯センサを解除状態とするように設定されているかを示す情報を表示部６に表示する。
【００３１】
従って、いま、選択手段４Ｂが選択されたとすると、制御部３は、現在選択手段４Ａに設定されている防犯センサの状態に関する情報を表示部６に表示する。その場合の表示例を図２（ａ）に示す。なお、図２においては、センサ入力部２には最大８個の防犯センサが接続可能となされているものとしており、「１」〜「８」の数字はセンサ入力部２のチャネル番号を示している。即ち、図２においては、各防犯センサは、それが接続されるセンサ入力部２のチャネル番号で示されているのである。
【００３２】
また、図２において、「ＯＮ」は警戒状態を示し、「ＯＦＦ」は解除状態を示している。従って、選択手段４Ａに対して現在設定されている各防犯センサの状態が図２（ａ）に示すようである場合、警備モード時において選択手段４Ａを選択すると、制御部３は全ての防犯センサを警戒状態とする。そして、後述するように、選択手段４Ａが選択されている場合において、センサ入力部２から、あるチャネル番号の防犯センサから検知信号を受けた旨の通知を受けると、制御部３は異常事態が発生したと判断して、威嚇装置８を動作させると共に、回線制御部７を介して通報を行う。
【００３３】
同様に、例えば選択手段４Ｃに対して現在設定されている各防犯センサの状態が図２（ｂ）に示すようであるとすると、警備モード時において選択手段４Ｃを選択すると、制御部３は全ての防犯センサを解除状態とする。そして、後述するように、選択手段４Ｃが選択されている場合においては、制御部３は、センサ入力部２から、あるチャネル番号の防犯センサから検知信号を受けた旨の通知を受けても無視し、異常事態が発生したとは判断しない。
【００３４】
さて、設定モード時においては、例えば図２（ａ）、（ｂ）に示すように、ある選択手段に対して現在設定されている各防犯センサの状態が表示部６に表示されている状態において、操作部５において所定の操作を行うことによって、所望のチャネル番号の防犯センサの状態を、警戒状態から解除状態へ、または解除状態から警戒状態に変更することができるようになされている。この場合の操作をどのように行うかは適宜定めることができるが、ここでは、状態を変更したい防犯センサのチャネル番号をテンキーで入力して、決定キーを押す操作を行うものとする。
【００３５】
従って、いま、表示部６に図２（ａ）のように表示されている状態において、チャネル番号が１番の防犯センサの状態を警戒状態から解除状態に変更したい場合には、操作部５においてテンキーで「１」を入力して、更に決定キーを押せばよい。この操作が行われると、制御部３は、チャネル番号１番を解除状態に設定して、その新たな状態を表示部６に表示する。従って、この場合には図２（ｃ）に示すように表示されることになる。
【００３６】
なお、図２（ｃ）に示す表示がなされている状態において、テンキーで「１」を入力して、更に決定キーを押せば、制御部３は当該チャネル番号に対して警戒状態を設定する。従って、その場合には図２（ａ）の表示に戻る。防犯センサの状態には、警戒状態と解除状態の２つの状態しかないから、制御部３は、操作部５で同一のチャネル番号に対して状態変更の操作が行われる度毎に警戒状態と解除状態とを交互に設定するのである。
【００３７】
以上のようにして、当該選択手段に対して、各チャネル番号の防犯センサに対して所望の状態を設定した後、操作部５で所定の操作が行われると、制御部３は各チャネル番号について設定された状態を確定して登録すると共に、例えば、「登録しました。」等の設定された状態を登録したことを示す表示を表示部６に表示する。なお、設定した状態を確定する場合の操作をどのように行うかは任意に定めることができる。例えば、操作部５の決定キーを押すようにすればよい。
【００３８】
この警備装置１では、以上の操作を全ての選択手段４Ａ、４Ｂ、４Ｃに対して行うことができるようになされている。従来では、上述した操作は、予め在宅警戒モードを選択するように定められた選択手段のみに対して可能となされていたのであるが、この警備装置１では警備モード選択部４の全ての選択手段４Ａ、４Ｂ、４Ｃに対して上述した操作が可能となされているのである。従って、この警備装置１においては、最大３種類の在宅経過モードを設定することができるのである。
【００３９】
なお、図１に示すように選択手段が３つ設けられている場合に、それぞれの選択手段に互いに異なる３種類の在宅警戒モードを設定した場合、警備装置１では外出警戒モード及び解除モードを設定することはできなくなるが、図１のように警備装置１に警備状態設定装置９が接続されている場合には、外出警戒モード及び解除モードの設定は警備状態設定装置９によって行うことができるので問題は無い。
【００４０】
また、例えば、全ての選択手段に対して、互いに異なる在宅警戒モードを設定した場合には、どの選択手段がどのような在宅警戒モードであるかを明示するために、各選択手段にシールを貼付するなどすればよいことは上述したと同様である。
【００４１】
そして、所望の選択手段について、各チャネル番号の防犯センサの状態が設定され、登録された後に操作部５で所定の操作が行われると、制御部３は設定モードを終了して、警備モードに入り、警備の処理を開始する。なお、このときの操作としては、例えば、警備モードに入るためのＩＤコードとして予め定められたＩＤコードを入力して決定キーを押すという操作とすることができる。
【００４２】
［警備モード時の動作］
次に、警備モード時の動作について説明する。上述したように、警備モードには、外出警戒モード、在宅警戒モード、解除モードの３つのモードがある。これらの何れのモード時の動作も周知であるが、以下、順次概略説明する。
【００４３】
［外出警戒モード時の動作］
外出警戒モードは、警備状態設定装置９で設定することができる。また、警備装置１の警備モード選択部４に外出警戒モードを設定するための選択手段がある場合には、当該選択手段によって設定することも可能であることは勿論である。しかし、外出警戒モードが警備状態設定装置９で設定された場合と、警備モード選択部４の選択手段で設定された場合とでは制御部３の動作は次の点で異なっている。
【００４４】
即ち、制御部３は、外出警戒モードが警備状態設定装置９で設定された場合には即座に外出警戒モードに入る。警備状態設定装置９は屋外に設置されるから、外出警戒モードが設定される場合には屋内は無人になっているからである。
【００４５】
これに対して、警備モード選択部４の選択手段で設定された場合には、当該選択手段により外出警戒モードが設定されてから所定時間経過した後に外出警戒モードに入る。これは退出遅延動作として周知の動作である。つまり、屋内の警備装置１で外出警戒モードが設定された場合に、即座に外出警戒モードに入ってしまうと、家人が屋外に出るまでの間に防犯センサで検知されて、異常事態が発生したと判断されてしまうことがあり、それを避けるために、退出遅延動作を行うことによって、家人が屋外に出るまでの時間的余裕を確保するようにしているのである。尤も、警備状態設定装置９で外出警戒モードが設定された場合にも退出遅延動作を行うようにすることも可能であることはいうまでもない。
【００４６】
さて、外出警戒モード時には、センサ入力部２の全てのチャネル番号には警戒状態が設定される。そして、制御部３は、センサ入力部２から検知信号を受けたチャネル番号が通知された場合、その後所定時間内に解除モードが設定された場合にはセンサ入力部２からの当該通知を無視して異常事態が発生したとは判断しないが、当該所定時間内に解除モードが設定されなかった場合にはセンサ入力部２からの当該通知を有効として異常事態が発生したと判断し、威嚇装置８を動作させると共に、回線制御部７を介して通報を行う。なお、通報先の電話番号等は予め制御部３に登録されている。
【００４７】
この動作は、入室遅延動作として周知の動作である。つまり、外出警戒モードが設定されている場合において、帰宅した家人が警備状態設定装置９で解除モードを設定することなく屋内に入ってしまい、防犯センサに検知されてしまうことが考えられるが、この時には警備状態設定装置９、あるいは警備装置１の警備モード選択部４に解除モードを設定する選択手段が設けられている場合には当該選択手段により解除モードを設定するための時間的余裕を与え、その時間内に解除モードが設定された場合には、異常事態が発生したとは判断しないようにしているのである。
【００４８】
［在宅警戒モード時の動作］
在宅警戒モードは、警備モード選択部４の在宅警戒モードが設定されている選択手段によって設定する。なお、警備状態設定装置９に在宅警戒モードを設定するための手段が設けられている場合には、当該手段によっても在宅警戒モードを設定可能なことは勿論である。
【００４９】
さて、制御部３は、在宅警戒モード時において、センサ入力部２から、あるチャネル番号から検知信号を受けた旨の通知を受けると、当該在宅警戒モードにおいて、当該チャネル番号が警戒状態に設定されているか、解除状態に設定されているかを判断して、解除状態に設定されている場合には無視するが、警戒状態に設定されている場合には、異常事態が発生したと判断して、威嚇装置８を動作させると共に、回線制御部７を介して通報を行う。
【００５０】
［解除モード時の動作］
解除モードは、警備状態設定装置９で設定することができる。また、警備装置１の警備モード選択部４に解除モードを設定するための選択手段がある場合には、当該選択手段によって設定することも可能であることは勿論である。
【００５１】
警備状態設定装置９によって解除モードが設定された場合には、制御部３は即座に解除モードに入る。解除モードではセンサ入力部２の全てのチャネル番号には解除状態が設定されるので、警備状態設定装置９で解除モードを設定すると、防犯センサで検知されても異常事態が発生したと判断されることはない。
【００５２】
なお、警備装置１の警備モード選択部４に解除モードを設定するための選択手段がある場合、外出警戒モードで動作しているときに警備状態設定装置９により解除モードの設定が行われずに家人が屋内に入室して防犯センサに検知されることが考えられるが、この場合には制御部３は室遅延動作を行うことは上述した通りである。
【００５３】
【発明の効果】
以上のようであるので、本発明に係る警備装置によれば、従来は予め固定的に定められており、変更することができなかった、外出警戒モードを設定するための選択手段、及び／または解除モードを設定するための選択手段に対しても在宅警戒モードを定めて、定義することが可能であるため、ホームセキュリティシステムを構築する警備物件の状況に応じて、複数の在宅警戒モードを設定することが可能となる。
【図面の簡単な説明】
【図１】本発明に係る警備装置を示すと共に、当該警備装置を用いたホームセキュリティシステムの構成例を示す図である。
【図２】設定モード時における表示部６の表示の例を示す図である。
【符号の説明】
１…警備装置、２…センサ入力部、３…制御部、４…警備モード選択部、５…操作部、６…表示部、７…回線制御部、８…威嚇装置、９…警備状態設定装置。
【図１】
2005004311.tif 000003
【図２】
2005004311.tif 000004